(57)【特許請求の範囲】
【請求項１】
マイクロホン（５）、スピーカー（６）、ディスプレイ（７）、キーパッド（９）及びカメラを有するカメラ付き移動通信装置であって、この移動通信装置は第１の部分（１）と第２の部分（２）の少なくとも２つの部分（１、２）を有し、前記第１の部分（１）と前記第２の部分（２）を互いに関して移動させて前記第１の部分（１）の一方の面と前記第２の部分（２）の一方の面が完全に若しくは部分的に向い合うようにして、前記カメラが運搬状態となっていて前記部分（１、２）が互いに覆い合っているときには前記カメラのレンズ（１３）が保護され、前記カメラが動作状態となっているときには該レンズ（１３）が露出することとなるように、前記部分（１、２）は、該カメラの運搬状態では互いに完全に覆い合い、該カメラの動作状態では部分的に覆い合うようになっており、前記カメラのレンズ（１３）は前記第１の部分（１）の前記一方の面に配置され、前記キーパッド（９）は前記第２の部分（２）の前記一方の面に配置され、前記ディスプレイ（７）は前記第１の部分（１）の前記一方の面とは反対側の他方の面に配置されており、前記カメラのレンズ（１３）を通して画像を映し出すことができ、前記ディスプレイ（７）は、前記レンズを通して映し出された画像を前記装置のユーザーに表示することによって前記カメラのファインダーとして役立ち、前記カメラのレンズ（１３）は、該装置の、前記ディスプレイ（７）とは異なる側に配置されることを特徴とするカメラ付き移動通信装置。
【請求項２】
該装置は前記第１の部分（１）の前記他方の面に機能キー（８）も有し、該カメラのレンズ（１３）が覆われているときでも、前記機能キー（８）を利用することによって該装置を通話のために使えることを特徴とする請求項１に記載の移動通信装置。
【請求項３】
前記第１の部分と前記第２の部分（１、２）は互いにスライド式に接続されていることを特徴とする請求項１に記載の移動通信装置。
【請求項４】
該移動通信装置のキーパッド（９）を含む部分（２）は、写真を撮るために使われるときに該移動通信装置を手に持ちやすくする整形グリップ（１２）を有することを特徴とする請求項１に記載の移動通信装置。
【請求項５】
前記移動通信装置の動作モードに応じて異なる機能を有し得る前記機能キー（８）及び／または前記キーパッド（９）におけるキーのいずれかを押すことによって、写真を撮ることを特徴とする請求項１に記載の移動通信装置。
【請求項６】
前記カメラが運搬状態となっていて前記部分（１、２）が互いに覆い合っているときには前記キーパッド（９）が保護され、前記カメラが動作状態となっているときには前記キーパッド（９）が露出することとなるように、前記部分（１、２）は、前記カメラの運搬状態では互いに完全に覆い合い、前記カメラの動作状態では部分的に覆い合うようになっており、重心をなるべく低い位置に置いて鉛直状態での写真撮影を容易にするために、該移動通信装置のバッテリー（１０）は、前記第１の部分（１）と前記第２の部分（２）のスライド方向において、前記第２の部分（２）の、前記キーパッド（９）が設けられた側と同じ側に置かれていることを特徴とする請求項３に記載の移動通信装置。
【請求項７】
写真は該移動通信装置のメモリー（２１）に蓄積され、その写真は該移動通信装置において電話帳で使われるようになっていることを特徴とする請求項１に記載の移動通信装置。
【請求項８】
カメラ付き移動通信装置であって、該装置は、
第１の面と第２の面を備える第１の部分であって、これら第１の面と第２の面は前記第１の部分において向い合っている、前記第１の部分と、
第１の面と第２の面を備える第２の部分であって、これら第１の面と第２の面は前記第２の部分において向い合っている、前記第２の部分と、
前記第１の部分の前記第１の面に配置されたディスプレイと、
前記第１の部分の前記第２の面に配置された、カメラのための保護可能なカメラレンズと、
前記第２の部分の前記第１の面に配置された、キーパッドにおける複数のキーと、を備え、
前記第１の部分と前記第２の部分は互いに接続され、第１の状態では、前記第１の部分の前記第２の面が前記キーパッドを覆い、且つ、前記第２の部分の前記第１の面が前記カメラレンズを覆い、第２の状態では、前記カメラレンズと前記キーパッドは露出されることを特徴とするカメラ付き移動通信装置。
【請求項９】
前記第１の部分と前記第２の部分は互いにスライド式に接続される請求項８に記載の移動通信装置。
【請求項１０】
前記第１の部分の前記第２の面と前記第２の部分の前記第１の面は互いに隣接している請求項８に記載の移動通信装置。
【請求項１１】
前記第１の状態は運搬状態であり、前記第２の状態は動作状態である請求項８に記載の移動通信装置。
【請求項１２】
前記ディスプレイは、前記カメラレンズを通して映し出された画像を前記移動通信装置のユーザに表示する前記カメラのファインダーとして役立つ請求項８に記載の移動通信装置。
【請求項１３】
前記カメラレンズは前記第２の部分によって保護することができる請求項８に記載の移動通信装置。
【発明の詳細な説明】
【０００１】
【発明の属する技術分野】
本発明は、通常の移動電話及びデータ通信に加えて、写真を撮るのにも使えるカメラ付き移動通信装置に関する。
【０００２】
【従来の技術】
特許文献WO95/00374から、移動通信装置に統合されたカメラが知られており、そのカメラのレンズは普通のカメラの場合と同様に常に露出しているか或いはキーパッドの真下から取り出されるようになっていて、この場合にはカメラが使用されていないときには保護される。レンズは、例えばキーパッドを移動させ或いは持ち上げることによって取り出され、キーパッドが自分の場所に戻るのと同時にレンズも自分の場所に戻る。
【０００３】
公知の装置に伴う問題は、移動通信装置に統合されたカメラの保護されないレンズは埃や引っ掻き傷を受けやすく、或いは保護されるレンズは取り出したり格納位置に戻したりするのが面倒だということである。
【０００４】
特許文献US 5,666,159から電子カメラ・システムが知られており、そのシステムで撮られた電子写真は遠くにあるいろいろな種類の装置に無線で送られる。
【０００５】
【発明が解決しようとする課題】
本発明の目的は、簡単に写真を撮ることができて、また移動通信装置の普通の使用法とは別の特別の操作をしなくてもそのカメラのレンズを取り出すことができるようになっている人間工学的なカメラ付き移動通信装置を提供することである。
【０００６】
【課題を解決するための手段】
この目的は、最新の移動通信装置におけるスライド式カバーとは似ていないけれども、移動通信装置を、使用前になるべく大幅に離れるようにスライドされるほぼ同等の２つの部分に分割する構造を用いることによって達成される。機能キーは、少なくとも３個、最大で１０個のキーを含むのが有利である。代表的な機能キーは、通話の開始キー及び終了キー、矢印キー或いはそれに相当する走査キー、及びメモリー管理キーを含んでいる。機能キーは公知の多機能キーを含んでいても良い。
【０００７】
本発明は、カメラ付きの移動通信装置に関し、前記装置は、マイクロホン、スピーカー、ディスプレイ、適切なキーパッド及びカメラを有し、該移動通信装置は少なくとも２つの部分を有し、該カメラが運搬状態となっていて該部分が互いに覆い合っているときには該カメラのレンズが保護され、該カメラが動作状態となっているときには該レンズが露出することとなるように、それらの部分は、該カメラの運搬状態では互いに完全に覆い合い、該カメラの動作状態では部分的に覆い合うようになっている。本発明に従って、該カメラのレンズを通して画像を映し出すことができ、ディスプレイは、レンズを通して映し出された画像を装置のユーザーに表示することによってカメラのファインダーとして役立ち、カメラのレンズは、装置の、本質的に該ディスプレイとは異なる側に配置される。
【０００８】
本発明によると、該移動通信装置が適切に使用されるために開かれるとき、カメラのレンズは、埃や、引っ掻き傷を付ける等の環境効果から該レンズを充分に保護する該装置の前記部分間の場所から取り出される。動作状態では、好ましくは１つの機能キーを押すことによって写真を撮るために該移動通信装置を使うことができる。該移動通信装置のディスプレイは、カメラを被写体に向けてシャッターをレリーズするときにファインダーとして役立ち、その後に画像はメモリーに蓄積され、該ファインダーの画像が該ディスプレイ上で固定される。該移動通信装置は、該移動通信装置を手で持つときにカメラのレンズに触らないように、掴みやすい形状を持つように設計される。本発明の好ましい実施態様が従属請求項に記載されている。
【０００９】
次に、添付図面を参照して本発明をいっそう詳しく説明する。
【００１０】
【発明の実施の形態】
図１は、図２に描かれているカメラ・レンズを本発明に従って背面に持っている移動通信装置の正面図である。この移動通信装置は２つの部分、即ち無線部１と、適切なキーパッドを含むハンド部２と、を有する。図１（Ａ）では、移動通信装置は開いていて動作状態であり、このときハンド部２は無線部１の真下からスライドされ、ずらされている。図１（Ｂ）では、移動通信装置は閉じられているけれども、例えば機能キーにより通話のために使用することができる。移動通信装置は、更に、内部アンテナ３、無線部４、マイクロホン５、スピーカー６、ディスプレイ７、機能キー８、バッテリー１０及び充電インターフェース１１を有し、これを該移動通信装置が閉じられて運搬状態となっているときにも使うことができる。動作状態では、適切なキーパッド９も使うことができる。更に、移動通信装置のハンド部２は掴みやすい形状１２を持っている。図１（Ａ）は、電話機の中の部分３、４、１０及び機能キーパッド８の両方を破線で示している。
【００１１】
図２は、本発明の移動通信装置の背面を示している。図２（Ａ）では、移動通信装置は開いていて動作状態であり、このときカメラのレンズ１３は本発明に従って露出していて、これを使って写真を撮ることができる状態である。この状態では、無線部１とハンド部２とは可能な限り大幅にスライドされて離されている。機能キー８はカメラのためのシャッターレリーズとして利用される。図２（Ｂ）では移動通信装置は閉じられて格納状態となっていて、写真を撮るために使うことはできなくなっているけれども、機能キー８により通話をするために使うことはできる。
【００１２】
カメラ・レンズ１３は、移動通信装置の、ディスプレイ７が置かれている側とは反対の側の場所に置かれているので、ユーザーは写真の被写体を移動通信装置越しに自然に見られると同時にディスプレイ７で見ることもできる。この構造は、移動通信装置の後ろ側を単一の鋳型を使って製造することができると共にカメラ・ユニットを移動通信装置の無線部１の平行な印刷回路基板の上に簡単に取り付けることができるので、有利である。カメラのレンズ１３は前記の場所で充分に保護される。
【００１３】
鉛直状態での写真撮影を容易にするために、移動通信装置のバッテリー１０は、移動通信装置の、適切なキーパッド９を含む部分に置かれている。
【００１４】
図３は、本発明の移動通信装置の不可欠の部分を示すブロック図である。マイクロホン４に向けて発せられた音声は送信装置１５によってデュプレックス・スイッチ１６に、更にアンテナ１７に送られる。アンテナ１７によって受信された音声は受信装置１８によってスピーカー１９に送られて聞かれる。全ての機能は、入力用のキーボード２３に接続されたコントローラ２０によって制御される。その入力は、例えばカメラ２２のシャッターのレリーズを含む。カメラ２２で撮られた写真はメモリー２１に蓄積されると共にディスプレイ２４で表示される。
【００１５】
実例として、移動通信装置を写真撮影に使う場合を考察する。移動通信装置が図１（Ｂ）及び２（Ｂ）に示されているように運搬状態であるときに、ユーザーは移動通信装置をダイヤリングや写真撮影をするために起動できるように無線部１及びハンド部２を持って、それらを引っ張って可能な限り大幅に離す。或いは、移動通信装置は、メニュー制御を使用することにより写真撮影のために起動される。写真機能が起動されたとき、ユーザーはカメラのファインダーの画像を無線部１のディスプレイ７で見てカメラを被写体に向けることができる。画像は移動通信装置のキー８、９を押すことによって撮られ、前記キーはこのモードではシャッターレリーズ・ボタンとして機能する。シャッターレリーズ・ボタンとして作用するキーの機能は好ましくは移動通信装置のモードに依存し、前記キーは、画像を撮るために例えば親指で簡単に押せる様な位置に置かれる。そのキーは、ここで説明している移動通信装置の機能キー８に属するのが好都合であるけれども、大きさの異なる装置では、装置のサイズを考慮して、このキーを使いやすい別の場所（例えばキーパッド９など）に置いても良い。該キーの機能は通話モード及び写真モードで違っていても良いけれども、それらのモード内で変化しても良い。永久的にシャッターレリーズとして機能するキーも可能であるけれども、それは通常の移動電話通信中には使えない。
【００１６】
シャッターがレリーズされると、ファインダー内のイメージがディスプレイ７上に固定されて、撮影された画像を表示し、好ましくは装置自身のメモリーに蓄積されるけれども、原理的には、蓄積しておくことのできる写真の数を増やすために追加の別のメモリーを装置自身のメモリーと代わる代わるに、或いはそれに加えて、使用することが可能である。
【００１７】
シャッターレリーズ・ボタンを押すとカメラは僅かに振れ、その振れによる画像のぼけを減少させるために、装置は、シャッターレリーズ・ボタンが押された後、画像をメモリーに蓄積する前に、ユーザーが選択することのできる時間にわたって待機する。前記の遅延を好ましくは２００ｍｓ刻みで０〜１秒の間でメニューにより選択することができる。
【００１８】
シャッターレリーズ・ボタンが押された後、画像がディスプレイ上に固定されたとき、撮影者は写真が構図及び明暗に関して良好か否かチェックし、その写真を撮るか、それとも新しい写真を撮るかを決める。写真は、メモリー空間を節約するために好ましくは圧縮されたフォーマットで移動通信装置のメモリーに蓄積される。その様な１つの圧縮アルゴリズムはＪＰＥＧ（Joint Photographers Experts Group（写真家専門家合同グループ））アルゴリズムである。蓄積された画像を、更に、例えば、赤外線又は無線リンクによりパーソナルコンピュータ（ＰＣ）に、或いはエア・インターフェースを介して電子メール・システムや他の移動通信装置に、或いは例えばファックス機に、送信することができる。
【００１９】
蓄積された画像を移動通信装置において例えば画像付き電話帳に利用することができる。
【００２０】
当業者であれば、以上に開示したものに基づいて本発明の装置を実現することができるので、具体的構成についてはこれ以上詳しくは説明しない。
【００２１】
本発明は上記の実施態様に限定されるものではなくて、特許請求の範囲で定義されている発明思想の範囲内で多くの修正形が可能である。
【図面の簡単な説明】
【図１】移動通信装置の正面図である。
【図２】本発明の移動通信装置の背面図である。
【図３】本発明の移動通信装置のブロック図である。
【符号の説明】
１、２  部分
５      マイクロホン
６      スピーカー
７      ディスプレイ
８      機能キー
９      キーパッド
１０    バッテリー
１３    レンズ
２１    メモリー
【図１】
0003720214.tif 000002
【図２】
0003720214.tif 000003
【図３】
0003720214.tif 000004